(57)【要約】  【課題】  信号の受信状態をユーザに知らせることができ、降雨等による受信状態の悪化を認識し易くする。  【解決手段】  信号の受信状態が検出され、受信中に信号が検出されなくなると、無信号であることがオンスクリーン表示や、インジケータ表示や、警告音により知らされる。これにより、ディジタル直接衛星放送で、降雨等により受信不能になり、黒い画面だけが表示されるようになった場合に、降雨による受信状態が悪化したことがユーザに知らされる。【選択図】  図４
2006087091.tif 000002
【特許請求の範囲】
【請求項１】
ディジタル放送の受信信号の中から所望のチャンネルの信号を選択するチューナ手段と、
上記チューナ手段で選択された信号から少なくともディジタルビデオ信号をデコードするデコード手段と、
上記チューナ手段または上記デコード手段から得られた上記所望のチャンネルの信号の取得情報に基づき、上記受信信号が得られるかどうかを検出する信号検出手段と、
上記デコード手段によりデコードされたディジタルビデオ信号による映像を表示する表示手段と、
上記デコード手段から上記所望のチャンネルの信号がデコードされ上記表示手段に表示されている状態において、上記受信信号を受信中に当該信号が得られなくなったことが上記信号検出手段によって検出されると、当該信号が得られなくなったことを警告する信号を上記表示手段に出力する警告手段と、
を備えるようにした表示制御装置。
【請求項２】
上記信号検出手段は、上記取得情報として、上記チューナ手段から上記所望のチャンネルの搬送波がロックされたときに出力されるキャリアロック信号が検出できるかどうかにより、上記受信信号が得られるかどうかを検出する請求項１記載の表示制御装置。
【請求項３】
上記デコード手段は、上記チューナ手段からの信号を復調して得られたビットストリームデータのエラーを検出して訂正するエラー訂正部を有し、上記信号検出手段は、上記取得情報として、エラー訂正部で所定値以上のエラーレートが検出されるかどうかにより上記受信信号が得られるかどうかを検出する請求項１記載の表示制御装置。
【請求項４】
上記警告手段は、上記表示手段に無信号であることを示すオンスクリーン表示のための信号を出力する請求項１、２または３記載の表示制御装置。
【発明の詳細な説明】
【技術分野】
【０００１】
この発明は、ディジタル放送を受信する受信装置に用いて好適な表示制御装置に関する。
【背景技術】
【０００２】
ＭＰＥＧ（Moving Picture Experts Group）方式の高能率符号化技術を利用してビデオ信号を圧縮し、ディジタルビデオ信号とディジタルオーディオ信号とを衛星を使って放送するようにしたディジタル直接衛星放送が開始されている。図９は、このようなディジタル直接衛星放送の受信システムの一例を示すものである。
【０００３】
図９において、１０１はディジタル衛星放送を行なう衛星、１０２は衛星１０１からの放送信号を受信するパラボラアンテナ、１０３は受信した放送信号からビデオ信号を復調するＩＲＤ（Integrated Receiver/Decoder ）、１０４は受信画面を映出するモニタである。
【０００４】
衛星１０１を介して、ＭＰＥＧシステムのディジタルビデオ信号及びディジタルオーディオ信号のストリームが１２ＧＨｚ帯の搬送波に載せられて送られてくる。衛星１０１からの信号がパラボラアンテナ２で受信される。パラボラアンテナ１０２には、ＬＮＢ（Low Noise Block Downconverter ）１０５が取り付けられている。パラボラアンテナ１０２で受信された信号は、ＬＮＢ１０５で所定の周波数の信号にダウンコンバートされる。
【０００５】
ＬＮＢ１０５の出力がＩＲＤ１０３に供給される。ＩＲＤ１０３は、所定のチャンネルを選択するチューナ回路、ビットストリームを復調する復調回路、ビットストリームからビデオデータとオーディオデータとを分離するデマルチプレクサ、ＭＰＥＧビデオ信号を復号するＭＰＥＧビデオデコーダ、デコードされたビデオ信号から例えばＮＴＳＣ方式のコンポジットビデオ信号を形成するアナログビデオエンコーダ回路、ＭＰＥＧオーディオ信号をデコードするＭＰＥＧオーディオデコーダ等を備えている。衛星１０１を介して送られてきた信号は、ＩＲＤ１０３で復調される。ＩＲＤ３の出力がモニタ４に供給される。
【発明の開示】
【発明が解決しようとする課題】
【０００６】
このようなディジタル直接衛星放送では、例えば１２ＧＨｚ帯の電波を使って信号が送られる。ところが、このような高い周波数の電波は、降雨による減衰を受けやすく、豪雨のときには、受信状態が悪くなり、受信不能になる場合もある。ディジタル直接衛星放送の場合、このように降雨により受信不能になると、アナログビデオエンコーダ回路への入力が直流成分となるため、黒い画面だけが表示されるようになる。このため、ユーザに、故障が発生したと誤認される可能性が高い。
【０００７】
アナログのビデオ信号を放送する衛星放送の場合にも、同様に、降雨による減衰を受け、豪雨のときには受信状態が悪くなり、受信不能になる。ところが、アナログのビデオ信号の場合には、降雨による受信状態の悪化と共に除々にノイズが増加していくため、ユーザは、受信状態の悪化が降雨の影響であることが把握しやすい。ところが、ディジタル直接衛星では、降雨による受信状態が悪化すると、黒い画面だけが表示されるようになるため、ユーザはどのような原因で映像が映らないのかが理解し難い。
【０００８】
したがって、この発明の目的は、信号の受信状態をユーザに知らせることができ、降雨等による受信状態の悪化を認識し易くできる表示制御装置を提供することにある。
【課題を解決するための手段】
【０００９】
上述した課題を解決するために、この発明は、ディジタル放送の受信信号の中から所望のチャンネルの信号を選択するチューナ手段と、
チューナ手段で選択された信号から少なくともディジタルビデオ信号をデコードするデコード手段と、
チューナ手段またはデコード手段から得られた所望のチャンネルの信号の取得情報に基づき、受信信号が得られるかどうかを検出する信号検出手段と、
デコード手段によりデコードされたディジタルビデオ信号による映像を表示する表示手段と、
デコード手段から所望のチャンネルの信号がデコードされ表示手段に表示されている状態において、受信信号を受信中に当該信号が得られなくなったことが信号検出手段によって検出されると、当該信号が得られなくなったことを警告する信号を表示手段に出力する警告手段と、
を備えるようにした表示制御装置である。
【００１０】
受信中に信号が検出されなくなると、無信号であることがオンスクリーン表示により知らされる。このため、ディジタル放送で、降雨等により受信不能になり、黒い画面だけが表示されるようになった場合に、降雨による受信状態の悪化により黒い画面になったことがユーザに知らされる。
【発明の効果】
【００１１】
この発明によれば、受信中に信号が検出されなくなると、無信号であることがオンスクリーン表示により知らされる。このため、ディジタル放送で、降雨等により受信不能になり、黒い画面だけが表示されるようになった場合に、降雨による受信状態の悪化により黒い画面になったことがユーザに知らされ、ユーザに故障であるとの誤認を与えることが防止できる。
【発明を実施するための最良の形態】
【００１２】
以下、この発明の実施の形態について図面を参照して説明する。図１は、この発明が適用された衛星放送の受信装置（ＩＲＤ）の一例を示すものである。図１において、パラボラアンテナ１で衛星からのディジタル衛星放送が受信される。パラボラアンテナ１の受信信号は、パラボラアンテナ１に取り付けられたＬＮＢ２に供給され、ＬＮＢ２で受信信号が所定の周波数の信号にダウンコンバートされる。
【００１３】
ＬＮＢ２の出力がチューナ回路３に供給される。チューナ回路３で、コントローラ４からのチャンネルセレクト信号に基づいて、受信信号の中から所定チャンネルの信号が選択される。また、チューナ３で信号が受信されると、キャリアロック信号が得られる。このキャリアロック信号がコントローラ４に供給される。
【００１４】
チューナ回路３の出力がＱＰＳＫ復調回路５に供給される。ＱＰＳＫ復調回路５で、受信信号がＱＰＳＫ復調され、受信信号のビットストリームが復調される。ＱＰＳＫ復調回路５の出力がエラー訂正回路６に供給される。エラー訂正回路６で、エラーが検出、訂正される。
【００１５】
エラー訂正回路６の出力がデマルチプレクサ７に供給される。デマルチプレクサ７は、エラー訂正回路６から出力されるビットストリーム信号を受け、パケット列の形にフレーミングし、パケット毎に所望のデータであるかどうかを判別し、ビデオデータとオーディオデータとに振り分ける。ビデオデータはＭＰＥＧビデオデコーダ８に供給され、オーディオデータはＭＰＥＧオーディオデコーダ９に供給される。
【００１６】
また、データが暗号化されている場合には、データがデスクランブラ１９に送られる。暗号解読に必要な暗号化キー及び解読プログラムは、ＩＣカード１７に納められている。適切なＩＣカード１７が装着されている場合には、デスクランブラ１９で、ＩＣカード１７からの暗号化キーに基づいて、暗号が解読される。そして、デマルチプレクサ７によりビデオデータとオーディオデータとに振り分けられ、ビデオデータはＭＰＥＧビデオデコーダ８に供給され、オーディオデータはＭＰＥＧオーディオデコーダ９に供給される。
【００１７】
ＭＰＥＧビデオデコーダ８は、ＭＰＥＧ方式により圧縮されているビデオ信号をデコードするものである。ＭＰＥＧ方式は、ＤＣＴと動き補償とを組み合わせることにより画像データを圧縮する高能率符号化方式である。ＭＰＥＧデコーダ８により、コンポーネントビデオ信号がデコードされる。ＭＰＥＧビデオデコーダ８の出力がアナログビデオエンコーダ１０に供給される。アナログビデオエンコーダ１０で、コンポーネントビデオ信号から、例えばＮＴＳＣ方式のコンポジットビデオ信号が形成される。このビデオ信号が出力端子１１から出力される。
【００１８】
ＭＰＥＧオーディオデコーダ９は、ＭＰＥＧ方式のオーディオ信号をデコードするものである。ＭＰＥＧオーディオデコーダ９により、ディジタルオーディオ信号がデコードされる。ＭＰＥＧオーディオデコーダ９の出力がＤ／Ａコンバータ１２に供給される。Ｄ／Ａコンバータ１２により、ディジタルオーディオ信号がアナログオーディオ信号に変換される。Ｄ／Ａコンバータ１２の出力が出力端子１３から出力される。
【００１９】
全体の動作を管理するコントローラ４には、フロントパネルのキー１４から入力が与えられる。また、各種の動作設定状態は、オンスクリーン表示機能により、画面上に表示される。すなわち、コントローラ４の出力に基づいて、表示発生回路１５からオンスクリーン表示信号が発生される。このオンスクリーン表示信号がアナログビデオエンコーダ１０に供給される。アナログビデオエンコーダ１０で、ビデオ信号にオンスクリーン表示信号が重畳される。このオンスクリーン表示としては、受信チャンネルや各種の動作設定状態の表示の他に、無信号であるかどうかを示す表示を含めることができる。
【００２０】
また、インジケータ１６が設けられる。このインジケータ１６には、無信号であるかどうかを示すインジケータを含めることができる。
【００２１】
前述したように、衛星からの信号には、暗号化されて送られてくるものがあり、暗号解読には、暗号を解読するのに必要な暗号化キーが解読プログラムと共に格納されているＩＣカード１７が必要である。ＩＣカード１７により、ＩＣカードインターフェース１８介して、データが入出力される。
【００２２】
この発明が適用されたＩＲＤでは、無信号であるかどうかをユーザに知らせることができる。すなわち、１２ＧＨｚ帯のような高い周波数の電波は、降雨による減衰を受けやすく、豪雨のときには、受信状態が悪くなり、受信不能になる場合もある。ディジタル直接衛星放送では、このように降雨により受信不能になると、黒い画面だけが表示されるようになるため、ユーザに、故障が発生したと誤認される可能性が高い。そこで、この発明が適用された衛星放送のＩＲＤでは、受信中に無信号になったかどうかが検出され、受信中に無信号になると、無信号になったことがオンスクリーン表示又はインジケータにより知らされる。
【００２３】
つまり、オンスクリーン表示の場合には、降雨の影響等により信号が受信できなくなると、図２に示すように、画面上に、「無信号」の表示５１が表示される。
【００２４】
また、ＩＲＤの前面パネルに、図３に示すように、無信号かどうかを示すインジケータ５２が設けられる。インジケータによる表示の場合には、降雨の影響等により信号が受信できなくなると、図３に示すインジケータ５２が点灯され、無信号であることが知らされる。
【００２５】
なお、オンスクリーンによる「無信号」の表示５１と、インジケータ５２による表示とは、同時に行なうようにしても良く、また、オンスクリーン表示５１のみ或いはインジケータ５２のみによる表示とするようにしても良い。
【００２６】
無信号であるかどうかは、例えば、チャンネルロック信号から検出できる。すなわち、チューナ回路３で所望のチャンネルを選択する際に、搬送波がロックすると、チューナ回路３からキャリアロック信号が現れる。信号が受信できなくなると、搬送波がロックできなくなり、キャリアロック信号が得られなくなる。したがって、このキャリアロック信号から、受信信号が得られるかどうかが判断できる。つまり、図４にフローチャートで示すように、コントローラ４は、受信中に、キャリアロック信号を受信できたかどうかを判断している（ステップＳＴ１）。そして、このキャリアロック信号が検出できなくなると、無信号の表示が行なわれる（ステップＳＴ２）。
【００２７】
また、無信号かどうかは、データのエラーレートから判断することができる。すなわち、エラー訂正回路６で受信データストリームのエラー訂正処理が行なわれる。信号が受信できなるなると、エラー訂正回路６から所定数以上のエラーが検出される。したがって、エラー訂正回路６で検出されるエラーレートから、受信信号が得られるかどうかが判断できる。つまり、図５にフローチャートで示すように、コントローラ４は、受信中に、エラー訂正回路６からのエラーレートを用いて、受信できたかどうかを判断している（ステップＳＴ１１）。そして、エラーレートが所定値以上になると、無信号の表示が行なわれる（ステップＳＴ１２）。
【００２８】
なお、上述の例では、受信中に信号が検出できなくなったら、無信号の表示をオンスクリーン表示５１又はインジケータ５２により表示しているが、受信中に信号が受信できなくなったら、アラーム音を発生させるようにしても良い。すなわち、図６にフローチャートで示すように、コントローラ４は、受信中にキャリアロック信号を受信できたかどうか、又は、データのエラーレートが所定値以上かどうかにより、信号が受信できたかどうかを判断している（ステップＳＴ３１）。そして、信号が受信できなくなると、アラーム音が発生される（ステップＳＴ３２）。
【００２９】
なお、上述のように、放送を受信中に突然受信不能になるのは、殆どの場合、降雨による影響である。これは、雨が止めば、自然に回復する。これに対して、電源投入時に、受信不能な場合がある。これは、ＩＲＤの設定に問題がある場合が殆どである。
【００３０】
すなわち、衛星のトランスポンダから目的とするトランスポンダを選択するために、トランスポンダ番号とＬＮＢのローカル周波数を正しく設定する必要がある。このＬＮＢのローカル周波数は、種々あるため、使用するＬＮＢのローカル周波数をＩＲＤに設定しておく必要がある。例えば、１２ＧＨｚのトランスポンダからの電波を受信する場合、ローカル周波数が１１ＧＨｚのＩＲＤを用いると、
１２ＧＨｚ−１１ＧＨｚ＝１ＧＨｚ
なので、チューナ回路３では、１ＧＨｚにチューニングする必要があるが、ローカル周波数が１０．８ＧＨｚのＩＲＤを用いる場合には、１．２ＧＨｚにチューニンングしなければならなくなる。よって、トランスポンダ番号だけを切り換えることで、そのトランスポンダの正しい周波数にチューニングされるようにするには、予め、ＬＮＢのローカル周波数がＩＲＤ側に正しく設定される必要がある。この設定が正しくなされていないと、所望のチャンネルの受信ができない。
【００３１】
そこで、電源投入時に、信号が検出できなければ、図７に示すような初期設定メニューを表示することが考えられる。図７に示すように、初期設定メニューには、ＬＮＢのローカル周波数の設定表示５５と、トランスポンダ番号の設定表示５６とが含まれており、このメニューにより、ＬＮＢのローカル周波数をＩＲＤ側に正しく設定することができる。
【００３２】
図８は、このときの処理を示すフローチャートである。電源が投入されたかどうかが判断され（ステップＳＴ４１）、電源が投入されると、キャリアロック信号が受信できたかどうか、又は、データのエラーレートが所定値以上かどうかにより、無信号かどうかが判断され（ステップＳＴ４２）、無信号の場合には、初期設定メニューが表示される（ステップＳＴ４３）。
【００３３】
このように、電源投入時に信号が検出できなければ、初期設定メニューを表示することで、ＩＲＤの初期設定に問題があるかどうかの確認をユーザに促すことができる。
【図面の簡単な説明】
【００３４】
【図１】この発明が適用された衛星放送の受信装置の一例のブロック図である。
【図２】無信号状態の表示の説明に用いる略線図である。
【図３】無信号状態のインジケータの説明に用いる正面図である。
【図４】無信号時の処理の一例の説明に用いるフローチャートである。
【図５】無信号時の処理の他の例の説明に用いるフローチャートである。
【図６】無信号時の警告音の発生の説明に用いるフローチャートである。
【図７】電源投入時に受信不能な場合の表示の説明に用いる略線図である。
【図８】電源投入時に受信不能な場合の処理の説明に用いるフローチャートである。
【図９】ディジタル直接衛星放送の説明に用いる略線図である。
【符号の説明】
【００３５】
３・・・チューナ回路
４・・・コントローラ
６・・・エラー訂正回路
１５・・・表示発生回路
１６・・・インジケータ
【図１】
2006087091.tif 000003
【図２】
2006087091.tif 000004
【図３】
2006087091.tif 000005
【図４】
2006087091.tif 000006
【図５】
2006087091.tif 000007
【図６】
2006087091.tif 000008
【図７】
2006087091.tif 000009
【図８】
2006087091.tif 000010
【図９】
2006087091.tif 000011